(57)【特許請求の範囲】
【請求項１】
送信起動の時点以降に始動するＡＰＣ（Auto Power Control）を備えた無線装置によって送信される送信波の波形を整える送信制御装置であって、
前記送信波における主信号の出力が開始される時点で、当該送信波のレベルが定常値に収束するように、前記主信号の出力が開始される時点より所定の時間前から、前記主信号の前縁部に疑似信号を付加して、当該前縁部の波形を設定する前縁波形設定手段と、
前記波形の設定に並行して前記ＡＰＣの下で前記送信波のレベルが定常値に収束する期間に、前記ＡＰＣによる前記送信波のレベルの増減を規制する処理を行う過渡期間制御手段と、
前記期間の後に、前記規制を解除する定常電力設定手段と、
前記期間の長さをランダムに設定する期間長設定手段と
を備えたことを特徴とする送信制御装置。
【請求項２】
送信起動の時点以降に始動するＡＰＣ（Auto Power Control）を備えた無線装置によって送信される送信波の波形を整える送信制御装置であって、
前記送信波における主信号の出力が開始される時点で、当該送信波のレベルが定常値に収束するように、前記主信号の出力が開始される時点より所定の時間前から、前記主信号の前縁部に疑似信号を付加して、当該前縁部の波形を設定する前縁波形設定手段と、
前記前縁波形設定手段による前記波形の設定の下で、前記送信波のレベルが定常値となった後、前記ＡＰＣの下で生成された送信波のレベルが定常値に収束する期間に、前記無線装置によって送信される送信波のレベルを既定の値に固定する処理を行う過渡期間制御手段と、
前記期間の後に、前記レベルの固定を解除する定常電力設定手段と、
前記期間の長さをランダムに設定する期間長設定手段と
を備えたことを特徴とする送信制御装置。
【請求項３】
送信起動の時点以降に始動するＡＰＣ（Auto Power Control）を備えた無線装置によって送信される送信波の波形を整える送信制御装置であって、
前記送信波における主信号の出力が開始される時点で、当該送信波のレベルが定常値に収束するように、前記主信号の出力が開始される時点より所定の時間前から、前記主信号の前縁部に疑似信号を付加して、当該前縁部の波形を設定する前縁波形設定手段と、
前記前縁波形設定手段による前記波形の設定の下で、前記送信波のレベルが定常値となった後、かつ前記ＡＰＣの下で生成された送信波のレベルが定常値に収束する期間に、前記無線装置によって送信される送信波のレベルをランダムに変更する処理を行う過渡期間制御手段と、
前記期間の後に、前記送信波のレベルのランダムな変更を解除する定常電力設定手段と、
前記期間の長さをランダムに設定する期間長設定手段と
を備えたことを特徴とする送信制御装置。
【請求項４】
請求項１ないし３の何れか一項に記載の送信制御装置において、
前記送信波は、
ベースバンド信号に基づいて搬送波信号の振幅を変調する変調方式により生成され、
前記過渡期間制御手段は、
前記ベースバンド信号の振幅の操作により前記処理および前記波形の前縁部の設定を行う
ことを特徴とする送信制御装置。
【請求項５】
請求項２または３に記載の送信制御装置において、
前記前縁波形設定手段は、
前記ＡＰＣの応答性を左右する時定数と、前記ＡＰＣの形態との双方または何れか一方を変更することにより、前記波形の前縁部を設定する
ことを特徴とする送信制御装置。
【請求項６】
請求項１ないし５の何れか一項に記載の送信制御装置において、
前記期間の一部または全部に所定の疑似信号が含まれる
ことを特徴とする送信制御装置。
【発明の詳細な説明】
【技術分野】
【０００１】
本発明は、送信起動の時点以降に始動するＡＰＣ（Auto Power Control；自動電力制御）を備えた無線装置において、送信されるべき送信波の波形を整える送信制御装置に関する。
【背景技術】
【０００２】
特許文献１に記載されている無線装置では、次のような構成によって周波数ホッピングに伴って生じるスペクトルの不要な広がりを軽減している。すなわち、搬送波周波数の切換時に、変化が緩やかとなるように整形したダミーの波形を送信する。その際、ＡＰＣの制御信号をサンプルホールド回路を用いて保持することで、波形整形期間に不適切に自動送信電力制御が行われないようにしている。この特許文献１に記載されている無線装置では、波形整形を行わない期間は、測定した送信電力が予め定めた送信電力となるようにＡＰＣの制御信号を生成し、生成したＡＰＣの制御信号に応じて増幅器の利得を制御する。一方、波形整形を行う期間は、周波数切換期間の直前にＡＰＣの制御信号をサンプルホールド回路を用いて保持し、当該期間中、増幅器の利得を一定に保持する。
【先行技術文献】
【特許文献】
【０００３】
【特許文献１】特開平１１−２２０４２６号公報
【発明の概要】
【発明が解決しようとする課題】
【０００４】
特許文献１に記載されている無線装置では、増幅器の利得を制御する信号を、ダミー信号の送信期間中は直前の値で一定値に保持し、ダミー信号送信後に通常の信号に切り替える。この構成では制御信号の切換時に制御信号が階段状に変化する場合があり、送信波に階段状の変化が発生することがあった。すなわち、ＡＰＣに不適切な変動が発生する場合があるという課題があった。
【０００５】
本発明は、上記の事情を考慮してなされたものであり、無線装置におけるＡＰＣにおいて不適切な変動の発生を防止することができる送信制御装置を提供することを目的とする。
【課題を解決するための手段】
【０００６】
上記の課題を解決するため、本発明による送信制御装置の一態様は、送信起動の時点以降に始動するＡＰＣ（Auto Power Control）を備えた無線装置によって送信される送信波の波形を整える送信制御装置であって、前記送信波における主信号の出力が開始される時点で、当該送信波のレベルが定常値に収束するように、前記主信号の出力が開始される時点より所定の時間前から、前記主信号の前縁部に疑似信号を付加して、当該前縁部の波形を設定する前縁波形設定手段と、前記波形の設定に並行して前記ＡＰＣの下で前記送信波のレベルが定常値に収束する期間に、前記ＡＰＣによる前記送信波のレベルの増減を規制する処理を行う過渡期間制御手段と、前記期間の後に、前記規制を解除する定常電力設定手段と、前記期間の長さをランダムに設定する期間長設定手段とを備えたことを特徴とする。
【０００７】
また、本発明による送信制御装置の一態様は、送信起動の時点以降に始動するＡＰＣ（Auto Power Control）を備えた無線装置によって送信される送信波の波形を整える送信制御装置であって、前記送信波における主信号の出力が開始される時点で、当該送信波のレベルが定常値に収束するように、前記主信号の出力が開始される時点より所定の時間前から、前記主信号の前縁部に疑似信号を付加して、当該前縁部の波形を設定する前縁波形設定手段と、前記前縁波形設定手段による前記波形の設定の下で、前記送信波のレベルが定常値となった後、前記ＡＰＣの下で生成された送信波のレベルが定常値に収束する期間に、前記無線装置によって送信される送信波のレベルを既定の値に固定する処理を行う過渡期間制御手段と、前記期間の後に、前記レベルの固定を解除する定常電力設定手段と、前記期間の長さをランダムに設定する期間長設定手段とを備えたことを特徴とする。
【０００８】
また、本発明による送信制御装置の一態様は、送信起動の時点以降に始動するＡＰＣ（Auto Power Control）を備えた無線装置によって送信される送信波の波形を整える送信制御装置であって、前記送信波における主信号の出力が開始される時点で、当該送信波のレベルが定常値に収束するように、前記主信号の出力が開始される時点より所定の時間前から、前記主信号の前縁部に疑似信号を付加して、当該前縁部の波形を設定する前縁波形設定手段と、前記前縁波形設定手段による前記波形の設定の下で、前記送信波のレベルが定常値となった後、かつ前記ＡＰＣの下で生成された送信波のレベルが定常値に収束する期間に、前記無線装置によって送信される送信波のレベルをランダムに変更する処理を行う過渡期間制御手段と、前記期間の後に、前記送信波のレベルのランダムな変更を解除する定常電力設定手段と、前記期間の長さをランダムに設定する期間長設定手段とを備えたことを特徴とする。
【０００９】
また、本発明の一態様は、上記の送信制御装置において、前記送信波は、ベースバンド信号に基づいて搬送波信号の振幅を変調する変調方式により生成され、前記過渡期間制御手段は、前記ベースバンド信号の振幅の操作により前記処理および前記波形の前縁部の設定を行うことを特徴とする。
【００１０】
また、本発明の一態様は、上記の送信制御装置において、前記前縁波形設定手段は、前記ＡＰＣの応答性を左右する時定数と、前記ＡＰＣの形態との双方または何れか一方を変更することにより、前記波形の前縁部を設定することを特徴とする。
【００１１】
また、本発明の一態様は、上記の送信制御装置において、前記期間の一部または全部に所定の疑似信号が含まれることを特徴とする。
【発明の効果】
【００１３】
本発明によれば、前縁波形設定手段による送信波の前縁部の波形の設定と連動して、ＡＰＣの下で送信波のレベルが定常値に収束する期間に、送信波のレベルが適切に制御される。よって、無線装置におけるＡＰＣにおいて不適切な変動が発生することを防止することができる。
【図面の簡単な説明】
【００１４】
【図１】本発明による送信制御装置の一実施形態の構成例を説明するためのブロック図である。
【図２】図１に示した無線装置１が送信する送信波１８の一例を説明するための模式図である。
【図３】図１に示した無線装置１が送信する送信波１８の他の例を説明するための模式図である。
【図４】図１に示した無線装置１が送信する送信波１８の他の例を説明するための模式図である。
【図５】本発明による送信制御装置の他の実施形態の構成例を説明するためのブロック図である。
【図６】図５に示した無線装置１００の動作例を説明するための模式図である。
【発明を実施するための形態】
【００１５】
以下、図面を参照して本発明の実施の形態について説明する。図１は、本発明による送信制御装置の一実施形態の構成例を説明するためのブロック図である。図１に示した送信制御装置２は、無線装置１から送信される送信波１８の波形を整える装置である。なお、図１に示した例では、送信制御装置２と無線装置１とを別の装置としているが、送信制御装置２は無線装置１と一体として構成されていてもよい。
【００１６】
無線装置１は、入力部１１と、合成／（または）切換部１２と、出力部１３と、電力増幅部１４と、電力検出部１５と、空中線１６と、ＡＰＣ部１７とを備える。また、送信制御装置２は、前縁波形設定手段２１と、過渡期間制御手段２２と、定常電力設定手段２３と、期間長設定手段２４とを備える。
【００１７】
入力部１１は３つの入力を有し、１つの入力にはベースバンド信号が入力され、残りの２つの入力は前縁波形設定手段２１の出力と過渡期間制御手段２２の出力とにそれぞれ接続されている。入力部１１の出力は合成／切換部１２の一方の入力に接続されている。合成／切換部１２の出力は出力部１３の一方の入力に接続されている。合成／切換部１２の他方の入力は前縁波形設定手段２１の出力に接続されている。出力部１３の出力は電力増幅部１４の入力に接続されている。出力部１３の他方の入力は前縁波形設定手段２１の出力に接続されている。電力増幅部１４の出力は電力検出部１５の入力に接続されている。電力検出部１５の一方の出力は空中線１６の入力に接続され、他方の出力はＡＰＣ部１７の１つの入力に接続されている。ＡＰＣ部１７は３つの入力を有し、他の２つの入力は前縁波形設定手段２１の出力と過渡期間制御手段２２の出力とにそれぞれ接続されている。期間長設定手段２４の３つの出力は、前縁波形設定手段２１の一方の入力と、過渡期間制御手段２２の一方の入力と、定常電力設定手段２３の入力とにそれぞれ接続されている。定常電力設定手段２３の２つの出力は、前縁波形設定手段２１の他方の入力と、過渡期間制御手段２２の他方の入力とにそれぞれ接続されている。
【００１８】
以上の構成において、入力部１１は、入力したベースバンド信号と、前縁波形設定手段２１の出力と過渡期間制御手段２２の出力とに応じて、所定形式の信号を生成して出力する。合成／切換部１２は、前縁波形設定手段２１の出力に応じて所定形式の疑似信号を生成し、入力部１１が出力した信号と生成した疑似信号との両方の信号を合成して出力するかまたはいずれか一方を選択して出力する。出力部１３は、合成／切換部１２が出力した信号と、前縁波形設定手段２１の出力とに応じて、無線周波数帯の信号を生成して出力する。
【００１９】
電力増幅部１４は、ＡＰＣ部１７が出力した制御信号に応じて増幅利得を可変し、出力部１３から入力した信号を増幅して出力する。電力検出部１５は、電力増幅部１４から入力した信号の一部を取り出してＡＰＣ部１７へ出力するとともに、残部を空中線１６へ出力する。空中線１６は、無線装置３を受信側として送信波１８を出力する。
【００２０】
ＡＰＣ部１７は、電力検出部１５の出力と、前縁波形設定手段２１の出力と、過渡期間制御手段２２の出力とに応じて、電力増幅部１４の利得を可変するための制御信号を生成して出力する。ＡＰＣ部１７は、前縁波形設定手段２１の出力または過渡期間制御手段２２の出力に応じて、制御信号の生成形態を変化させる。ＡＰＣ部１７は、ＡＰＣの動作状態において、電力検出部１５から入力した信号のレベルが、所定の基準レベルに一致するように制御信号を生成する。ＡＰＣ部１７は、電力検出部１５から入力した信号のレベルが零または所定のレベルより小さい場合には、ＡＰＣを停止状態として、電力増幅部１４へ出力する制御信号を例えば一定の値で保持する。また、ＡＰＣ部１７は、出力部１３が信号を出力した後に動作状態となる。すなわちＡＰＣ部１７は、送信起動の時点以降に始動して、電力検出部１５から入力した信号のレベルに応じて電力増幅部１４の利得を可変制御する。
【００２１】
前縁波形設定手段２１、過渡期間制御手段２２および定常電力設定手段２３が、送信波の波形を整える動作には、次の（１）から（３）がある。
【００２２】
（１）前縁波形設定手段２１は、送信波１８を受信し得る受信端（無線装置３）が送信波１８の立ち上がりに対して既定の時間内に応答できる形態に、送信波１８の前縁部の波形を設定する。過渡期間制御手段２２は、波形の設定に並行してＡＰＣの下で送信波１８のレベルが定常値に収束する期間に、ＡＰＣによる送信波１８のレベルの増減を規制する処理を行う。そして、定常電力設定手段２３は、その期間の後に、規制を解除する。
【００２３】
ここで、図２を参照して、送信波１８の波形を整える（１）の動作について説明する。図２は、送信波１８の一例を説明するための模式図である。図２において、横軸は時間、縦軸は送信波１８の波高を表す。図２に示したように、本実施形態において、無線装置１が送信する送信波１８は、主信号と、主信号の前縁部に付加された網掛けして示した疑似信号とから構成されている。ここで、主信号は、ベースバンド信号が示す情報を含む信号であり、伝送情報で変調されている信号である。図２において、時刻ｔ１０は疑似信号の出力開始時刻であって、送信波１８の出力開始時刻である。時刻ｔ１１は主信号の出力開始時刻である。本実施形態では、この主信号の送信開始時刻ｔ１１を送信波１８の立ち上がりと呼ぶ。そして、時刻ｔ１２は疑似信号の出力終了時刻である。
【００２４】
例えば、受信側の無線装置３に対して主信号の出力開始時刻ｔ１１から主信号を正常に受信可能となるまでの応答時間が時間Ｔ２３と既定されている場合に、無線装置３が受信可能となるまでの実際の応答時間が時間Ｔ２２であるとき、前縁波形設定手段２１は、主信号の出力開始時刻ｔ１１から既定の時間Ｔ２３後の時刻ｔ１２から時間Ｔ２２前の時刻ｔ１０に送信波１８の出力を開始するため、時刻ｔ１０から疑似信号の出力が開始されるように、送信波１８の前縁部の波形を設定する。すなわち、前縁波形設定手段２１は、時刻ｔ１０から疑似信号が出力されるように、入力部１１、合成／切換部１２、出力部１３またはＡＰＣ部１７の少なくとも１つに所定の信号を出力する。図２に示した例において、規定の振幅がＬ１１であるとすると、前縁波形設定手段２１は、時刻ｔ１０で疑似信号の出力を開始し、時刻ｔ１１で疑似信号の振幅がＬ１１となるように疑似信号の振幅を設定する。さらに、前縁波形設定手段２１は、時刻ｔ１１から時刻ｔ１２までの間、主信号の振幅の変化に応じて、疑似信号の振幅をＬ１２からＬ１３やＬ１４のように減少させる。なお、疑似信号の振幅の設定値は、予め実験やシミュレーションを行うことで適切な値とすることができる。
【００２５】
一方、上述したように、過渡期間制御手段２２は、前縁波形設定手段２１による波形の設定に並行してＡＰＣの下で送信波１８のレベルが定常値に収束する期間に、ＡＰＣによる送信波１８のレベルの増減を規制する処理を行う。ここで、送信波１８のレベルが定常値に収束する期間は、図２に示した例では、時間Ｔ２２に対応する。この場合、時間Ｔ２２の間、過渡期間制御手段２２は、ＡＰＣ部１７による電力増幅部１４の利得の可変制御を制限（オフ）する。時間Ｔ２２の間、ＡＰＣ部１７は、例えば電力増幅部１４の利得を一定値に保持するように制御信号を生成して電力増幅部１４へ出力する。
【００２６】
また、定常電力設定手段２３は、時間Ｔ２２経過後の時刻ｔ１２に、ＡＰＣ部１７による電力増幅部１４の利得の可変制御を規制を解除する（可変制御をオンする）。
【００２７】
なお、図２に示した例では、時刻ｔ１１から時刻ｔ１２までの時間Ｔ２２の期間にレベルを変化させた疑似信号が主信号に対して付加されている。ただし、時間Ｔ２２の期間の全てで疑似信号を付加するのに代えて、一部の期間のみ疑似信号を付加してもよい。すなわち、時刻ｔ１１（すなわち送信波の立ち上がり）から時間Ｔ２２の期間の末尾（時刻ｔ１２）に至る全てまたは一部の期間に、主信号の送信波に代わる疑似信号が送信波１８として適用されてもよい。あるいは、前縁波形設定手段２１による波形の設定の下で、送信波のレベルが定常値に収束した時点（時刻ｔ１１）から期間の末尾（時刻ｔ１２）に至る全てまたは一部の期間に、主信号の送信波に代わる疑似信号が送信波１８として適用されてもよい。すなわち、時間Ｔ２２の期間の一部または全部に所定の疑似信号を含ませることができる。
【００２８】
一方、期間長設定手段２４は、時間Ｔ２２の長さ、時刻ｔ１０から時刻ｔ１１までの時間Ｔ２１の長さや時間Ｔ２３の長さをランダムに設定する機能を有する。
【００２９】
なお、過渡期間制御手段２２は、送信波１８がベースバンド信号に基づいて搬送波信号の振幅を変調する変調方式により生成される場合に、ベースバンド信号の振幅の操作により、ＡＰＣによる送信波１８のレベルの増減を規制する処理を行うこともできる。
【００３０】
（２）前縁波形設定手段２１は、送信波１８を受信し得る受信端（無線装置３）が送信波１８の立ち上がりに対して既定の時間内に応答できる形態に、送信波の前縁部の波形を設定する。過渡期間制御手段２２は、前縁波形設定手段３２による波形の設定の下で、送信波１８のレベルが定常値となった後、ＡＰＣの下で生成された送信波１８のレベルが定常値に収束する期間に、無線装置１よって送信される送信波１８のレベルを既定の値に固定する処理を行う。そして、定常電力設定手段２３は、その期間の後に、レベルの固定を解除する。
【００３１】
図３を参照して、送信波１８の波形を整える（２）の動作について説明する。図３は、送信波１８の一例を説明するための模式図である。図２に示したものに対応するものには同一の符号を用いて説明を省略する。図２に示した例と、図３に示した例では、ＡＰＣの制御動作をオフからオンに変化させる時刻が異なる。すなわち、図３に示した例では、主信号の出力開始時刻である時刻ｔ１１でＡＰＣの制御動作がオフからオンに変化している。
【００３２】
この場合、前縁波形設定手段３２による波形の設定の下で、送信波１８のレベルが定常値となった時刻が、時刻ｔ１１である。また、ＡＰＣの下で生成された送信波１８のレベルが定常値に収束する期間が、時間Ｔ２３である。
【００３３】
なお、前縁波形設定手段２１は、例えば、入力部１１等において、送信波１８がベースバンド信号に基づいて搬送波信号の振幅を変調する変調方式により生成される場合に、ベースバンド信号の振幅の操作により、波形の前縁部を設定することができる。あるいは、前縁波形設定手段２１は、ＡＰＣの応答性を左右する時定数と、ＡＰＣの形態との双方または何れか一方を変更することにより、波形の前縁部を設定することができる。あるいは、前縁波形設定手段２１は、ＡＰＣにおけるフィードバック制御をフィードフォワード制御に変更することにより、波形の前縁部を設定することができる。すなわち、ＡＰＣにおける電力制御をフィードフォワード制御とすることで波形の前縁部の設定を行っても良い。
【００３４】
（３）前縁波形設定手段２１は、送信波１８を受信し得る受信端（無線装置３）が送信波１８の立ち上がりに対して既定の時間内に応答できる形態に、送信波の前縁部の波形を設定する。過渡期間制御手段２２は、前縁波形設定手段２１による波形の設定の下で、送信波１８のレベルが定常値となった後、かつＡＰＣの下で生成された送信波１８のレベルが定常値に収束する期間に、無線装置１によって送信される送信波のレベルをランダムに変更する処理を行う。そして、定常電力設定手段２３は、その期間の後に、送信波のレベルのランダムな変更を解除する。
【００３５】
図４を参照して、送信波１８の波形を整える（３）の動作について説明する。図４は、送信波１８の一例を説明するための模式図である。図３に示したものに対応するものには同一の符号を用いて説明を省略する。図３に示した例と、図４に示した例とでは、時間Ｔ２３の間に主信号に付加する疑似信号のレベルが互いに異なる。なお、図４においても、図３と同様、前縁波形設定手段３２による波形の設定の下で、送信波１８のレベルが定常値となった時刻が、時刻ｔ１１である。また、ＡＰＣの下で生成された送信波１８のレベルが定常値に収束する期間が、時間Ｔ２３である。
【００３６】
動作（３）では、過渡期間制御手段２２が、動作（２）において一定とした疑似信号のレベルＬ１３やＬ１４を、例えば、レベルＬ１５やレベルＬ１６のようにランダムに変化させる。
【００３７】
以上のように、本実施形態によれば、動作（１）〜（３）のいずれかによって、前縁波形設定手段２１による送信波の前縁部の波形の設定と連動して、ＡＰＣの下で送信波のレベルが定常値に収束する期間に、送信波のレベルが適切に制御される。よって、無線装置１におけるＡＰＣにおいて不適切な変動が発生することを容易に防止することができる。したがって、ＡＰＣの特性に偏差や変動が生じても、受信端において受信波に施されるべき処理の所望のタイミングにおける起動が確度高く安定に所望のタイミングで実現される。
【００３８】
なお、ＡＰＣが始動する時点は、送信起動の時点と同時または所定時間遅れた時点とすることができる。また、前縁波形設定手段２１は、既存のＡＰＣの併用により実現されなくてもよい。
【００３９】
次に、図５および図６を参照して、本発明の他の実施形態について説明する。図５は。本発明による送信制御装置の他の実施形態の構成例を説明するためのブロック図である。図６は、図５に示した無線装置１００の動作例を説明するための模式図である。
【００４０】
図５に示した無線装置１００は、入力回路１０１と、ランダム発生器１０２と、ダミー信号発生器１０３と、切替器１０４と、出力回路１０５と、ＡＰＣ部１０６と、励振部１０７と、ＰＡ（Power Amplifier；電力増幅器）１０８と、電力検出部１０９と、空中線１１０と、送信制御装置１１１とを備える。
【００４１】
入力回路１０１は主信号を入力する。ランダム発生器１０２の出力は、ダミー信号発生器１０３の入力に接続されている。切替器１０４の３つの入力には入力回路１０１の出力とダミー信号発生器１０３の出力と送信制御装置１１１の出力とが接続され、切替器１０４の出力は出力回路１０５の入力に接続されている。出力回路１０５の出力は、ＡＰＣ部１０６の３入力のうちの１入力に接続されている。ＡＰＣ部１０６の出力は、励振部１０７の入力に接続されている。励振部１０７の出力は、ＰＡ１０８の入力に接続されている。ＰＡ１０８の出力は、電力検出部１０９の入力に接続されている。電力検出部１０９の一方の出力は空中線１１０の入力に接続され、他方の出力はＡＰＣ部１０６の入力に接続されている。送信制御装置１１１の一方の出力は切替器１０４の入力に接続され、他方の出力はＡＰＣ部１０６の入力に接続されている。
【００４２】
以上の構成において、入力回路１０１は、例えば、図５に模式的に示したような周波数特性を有する音声通信信号を入力し、入力した信号を内部のバッファアンプ等を通して出力する。ランダム発生器１０２は乱数を生成し、生成した乱数を表す信号を出力する。ダミー信号発生器１０３は、ランダム発生器１０２が生成した乱数に応じてダミー信号を生成して出力する。ダミー信号は、ＡＭ（振幅変調）、ＦＭ（周波数変調）、ＰＭ（位相変調）等の変調方式を、入力した乱数に応じてランダムに選択した変調信号である。ダミー信号は、図５に模式的に示したような主信号の周波数特性とは異なる周波数特性を持つ。切替器１０４は、送信制御装置１１１から入力した信号に応じて、入力回路１０１から入力した主信号と、ダミー信号発生器１０３から入力したダミー信号とのいずれか一方を選択して出力する。また、切替器１０４は、出力を無信号状態とすることもできる。出力回路１０５は、切替器１０４の出力を入力し、２次変調、増幅、周波数変換等の処理を施し、処理した信号を出力する。ＡＰＣ部１０６は、電力検出部１０９が出力した信号と所定の基準値との偏差が小さくなるように、出力回路１０５から入力した信号の大きさを変化させて出力する。励振部１０７は、ＡＰＣ部１０６から入力した信号に例えば位相補償等を施し、さらに増幅して出力する。ＰＡ１８は、励振部１０７から入力した信号を増幅して出力する。電力検出部１０９は、ＰＡ１８から入力した信号の一部を取り出してＡＰＣ部１０６へ出力するとともに、残部を空中線１１０へ出力する。
【００４３】
一方、送信制御装置１１１は、切替器１０４の切り替え動作を制御するとともに、ＡＰＣ部１０６の動作を制御する。本実施形態において送信制御装置１１１は、切替器１０４の接続状態を制御することで、切替器１０４からダミー信号を出力した後、一定の空白期間を置いた後、切替器１０４から主信号を出力させる。送信制御装置１１１は、また、ダミー信号から主信号への切り替えの際に送信波の変化を緩やかにするための制御をＡＰＣ部１０６に対して実行する。送信制御装置１１１の制御の詳細は、図１等を参照して説明した送信制御装置２と同一であり説明を省略する。
【００４４】
次に、図６を参照して、図５に示した無線装置１００の動作例について説明する。図６は、切替器１０４が出力した信号の変化と、一般的なＡＰＣの場合と本実施形態のＡＰＣの場合との２つの場合について空中線１１０が出力した送信波の波高の変化を示した。ここで、一般的なＡＰＣとは、送信制御装置１１１によるＡＰＣ部１０６に対する制御を実行せずに、ＡＰＣ部１０６が電力検出部１０９からの入力に応じて出力信号を変化させる制御を実行することを意味する。図６に示した動作例では、時刻ｔ２１で切替器１０４がダミー信号を出力し、時刻ｔ２２で切替器１０４が出力を無信号状態とする。そして、時刻ｔ２３で切替器１０４が主信号を出力する。
【００４５】
一般的なＡＰＣの場合、送信波の波高値は、ダミー信号の入力時（ｔ２１）以降、徐々に増加し、一定レベルを一旦超えた後、一定レベルに収束する。次に、送信波の波高値は、ダミー信号の停止時（ｔ２２）以降、徐々に減少する。次に、送信波の波高値は、主信号の入力時（ｔ２３）以降、徐々に増加し、一定レベルを一旦超えた後、一定レベルに収束する。このように、一般的なＡＰＣの場合、ダミー信号と主信号の切り替え時に送信波の波高値が変動する。
【００４６】
一方、本実施形態のＡＰＣの場合、送信波の波高値は、ダミー信号の入力時（ｔ２１）以降、徐々に増加し、一定レベルを一旦超えた後、一定レベルに収束する。次に、ダミー信号の停止時（ｔ２２）以降、主信号の入力時（ｔ２３）までの期間、ＡＰＣ部１０６はＡＰＣを破線で示したようにホールドする（すなわち信号の増幅利得を送信波が基準レベルに収束したときの値で固定する）。次に、送信波の波高値は、主信号の入力時点（ｔ２３）から、時刻ｔ２２でホールドされたＡＰＣによる増幅利得で一定レベルに収束した状態となる。このように、本実施形態のＡＰＣの場合、ダミー信号と主信号の切り替え時に送信波の波高値の変動を抑えることができる。
【００４７】
以上のように、本実施形態によれば、無線装置１００におけるＡＰＣにおいて不適切な変動が発生することを防止することができる。
【００４８】
なお、図５に示した無線装置１００における信号処理の方法や実現手段はハードウエア的であっても、デジタル信号処理であっても不問であり、ＣＰＵ（Central Processing Unit）、ＤＳＰ（Digital Signal Processor）、ＦＰＧＡ（Field Programmable Gate Array）等様々な処理プロセッサを使用しても問題ない。
【００４９】
なお、本発明の実施形態は上記のものに限定されない。また、本発明は、通信機や放送機だけではなく、レーダ等の航法機器にも適用可能である。例えば、変調方式、キャリア（マルチキャリア）、周波数配置、チャネル配置、チャネル制御の方式、多元接続方式、無線伝送路のトポロジー、通信制御の形態（機能や負荷の分散を含む）、通信制御が通信レイヤについても限定はなく、適宜選択可能である。
【符号の説明】
【００５０】
１、１００  無線装置
２、１１１  送信制御装置
２１  前縁波形設定手段
２２  過渡期間制御手段
２３  定常電力設定手段
２４  期間長設定手段
【図１】
0006557922.tif 000002
【図２】
0006557922.tif 000003
【図３】
0006557922.tif 000004
【図４】
0006557922.tif 000005
【図５】
0006557922.tif 000006
【図６】
0006557922.tif 000007